(57)【要約】【課題】  撮影条件のロックの使い勝手を向上させることができる撮像装置及びそのプログラムを実現する。【解決手段】  デジタルカメラ１に、少なくとも撮影を指示するシャッタボタン２１と、シャッタボタン２１とは別個に設けられた撮影条件の保持及び解除を指示する撮影条件保持ボタン２２とを備え、撮影条件保持ボタン２２が押下されると、ＡＥ等の撮影条件の値をロックし、該ロックされている時にシャッタボタンが押下されると、該ロックされている値の撮影条件下で静止画撮影処理を行う。これにより、シャッタボタン半押し、全押しの微妙な操作ができないユーザであっても撮影条件をロックして撮影を行なうことができるとともに、撮影条件保持ボタン２２により撮影条件の保持が解除されない限り、同じ撮影条件で何度でも撮影することができる。【選択図】  図１
2008054130.tif 000002
【特許請求の範囲】
【請求項１】
撮影を指示するシャッタボタンと、
前記シャッタボタンとは別個に設けられた、所定の撮影条件の保持及び解除を指示する指示手段と、
前記所定の撮影条件としての適正値を検出する検出手段と、
前記指示手段により前記所定の撮影条件の保持が指示された場合は、前記検出手段により検出された前記所定の撮影条件としての適正値を保持させるように制御する保持制御手段と、
前記シャッタボタンにより撮影が指示されたときに、前記保持制御手段により適正値が保持されている場合は、該保持されている適正値からなる撮影条件下で被写体の静止画を撮影し、該撮影された静止画データを記録する撮影記録制御手段と、
を備えたことを特徴とする撮像装置。
【請求項２】
前記保持制御手段は、
前記撮影記録制御手段により被写体の静止画データが撮影記録された場合であっても、前記所定の撮影条件の適正値を保持させるように制御することを特徴とする請求項１記載の撮像装置。
【請求項３】
前記所定の撮影条件は、少なくとも静止画撮影用の露出量であり、
前記検出手段は、
前記静止画撮影用の適正露出値を算出して、少なくとも絞り値、シャッタスピードを適正値として検出することを特徴とする請求項１又は２記載の撮像装置。
【請求項４】
前記所定の撮影条件は、少なくともホワイトバランスであり、
前記検出手段は、
少なくともホワイトバランス係数を適正値として検出することを特徴とする請求項１乃至３の何れかに記載の撮像装置。
【請求項５】
前記所定の撮影条件は、少なくともフォーカスレンズの焦点であり、
前記検出手段は、
少なくとも合焦レンズ位置を適正値として検出することを特徴とする請求項１乃至４の何れかに記載の撮像装置。
【請求項６】
前記保持制御手段は、
前記指示手段により前記所定の撮影条件の保持の解除が指示された場合は、前記所定の撮影条件の適正値の保持を解除させるように制御する手段を含むことを特徴とする請求項１乃至５の何れかに記載の撮像装置。
【請求項７】
前記検出手段は、
前記指示手段により前記所定の撮影条件の保持が指示されるまで、又は、前記保持制御手段により適正値の保持が解除されてから前記指示手段により前記所定の撮影条件の保持が指示されるまで、前記所定の撮影条件としての適正値を周期的に検出していき、
前記保持制御手段は、
前記指示手段により前記所定の撮影条件の保持が指示された場合は、前記検出手段により直近に検出された前記所定の撮影条件としての適正値を保持させるように制御することを特徴とする請求項１乃至６の何れかに記載の撮像装置。
【請求項８】
前記撮影記録制御手段は、
前記指示手段により前記所定の撮影条件の保持が指示される前に、又は、前記保持制御手段により適正値の保持が解除されてから前記指示手段により前記所定の撮影条件の保持が指示される前に、前記シャッタボタンにより撮影が指示された場合は、前記検出手段により直近に検出された適正値からなる撮影条件下で被写体の静止画を撮影し、該撮影された静止画データを記録することを特徴とする請求項７記載の撮像装置。
【請求項９】
前記検出手段は、
前記指示手段により前記所定の撮影条件の保持が指示されると、前記所定の撮影条件としての適正値を検出し、
前記保持制御手段は、
前記指示手段により前記所定の撮影条件の保持が指示された場合は、前記検出手段により検出された前記所定の撮影条件としての適正値を保持させるように制御することを特徴とする請求項１乃至６の何れかに記載の撮像装置。
【請求項１０】
前記検出手段は、
前記指示手段により前記所定の撮影条件の保持が指示される前に、又は、前記保持制御手段により適正値の保持が解除されてから前記指示手段により前記所定の撮影条件の保持が指示される前に、前記シャッタボタンにより撮影が指示された場合は、前記所定の撮影条件としての適正値を検出し、
前記撮影記録制御手段は、
前記検出手段により検出された適正値からなる撮影条件下で被写体の静止画を撮影し、該撮影された静止画データを記録することを特徴とする請求項９記載の撮像装置。
【請求項１１】
前記指示手段は、
操作されたときに前記所定の撮影条件の保持を指示し、操作が開放されたときに、前記所定の撮影条件の保持の解除を指示することを特徴とする請求項１乃至１０の何れかに記載の撮像装置。
【請求項１２】
前記指示手段は、
操作される毎に、前記所定の撮影条件の保持と、前記所定の撮影条件の保持の解除とを交互に指示することを特徴とする請求項１乃至１０の何れかに記載の撮像装置。
【請求項１３】
撮影を指示するシャッタボタンと、
前記シャッタボタンとは別個に設けられた、所定の撮影条件の保持及び解除を指示する指示手段と、
を備えた撮像装置を実行させるためのプログラムであって、
前記所定の撮影条件としての適正値を検出する検出処理と、
前記指示手段により前記所定の撮影条件の保持が指示された場合は、前記検出処理により検出された前記所定の撮影条件としての適正値を保持させるように制御する保持処理と、
前記シャッタボタンにより撮影が指示されたときに、前記保持処理により適正値が保持されている場合は、該保持されている適正値からなる撮影条件下で被写体の静止画を撮影し、該撮影された静止画データを記録する撮影処理と、
を含むことを特徴とするプログラム。
【発明の詳細な説明】
【技術分野】
【０００１】
本発明は、撮像装置及びそのプログラムに係り、詳しくは、撮影条件をロックして撮影を行なうことができる撮像装置及びそのプログラムに関する。
【背景技術】
【０００２】
従来の撮像装置、例えば、デジタルカメラにおいては、下記特許文献１に示すように、半押し全押しの２段階操作を行なうことができるシャッタボタンを備え、半押し操作が行なわれると、半押し操作が行なわれている間、ＡＦロック、ＡＥロックを継続し、その状態でシャッタボタンが全押しされると、該ロックに基づいて得られた撮影条件下で静止画撮影を行なっていた。
【０００３】
【特許文献１】公開特許公報  特開２００６−１５７３４８
【発明の開示】
【発明が解決しようとする課題】
【０００４】
しかしながら、上記技術によれば、以下のような問題点が生じてしまう。
例えば、シャッタボタンの半押しと全押しとの微妙な操作の違いを使い分けることが難しいユーザにとっては、半押し操作を継続することも難しく、ＡＥロック等に基づいて得た所望のタイミング時の撮影条件で撮影を行うことが儘ならず、使い勝手が悪かった。
また、シャッタボタンを半押しして実行されるＡＥロック等に基づいて撮影条件を得ても、シャッタボタンを全押しして一度撮影してしまうと、該ロックに基づいて得た撮影条件もキャンセルされてしまい、該ロックに基づいて得た同一の撮影条件で、ユーザが好きな回数だけ撮影を行なうことがでず、使い勝手が悪かった。
【０００５】
そこで本発明は、かかる従来の問題点に鑑みてなされたものであり、撮影条件のロックの使い勝手を向上させることができる撮撮像装置及びそのプログラムを提供することを目的とする。
【課題を解決するための手段】
【０００６】
上記目的達成のため、請求項１記載の発明による撮像装置は、撮影を指示するシャッタボタンと、
前記シャッタボタンとは別個に設けられた、所定の撮影条件の保持及び解除を指示する指示手段と、
前記所定の撮影条件としての適正値を検出する検出手段と、
前記指示手段により前記所定の撮影条件の保持が指示された場合は、前記検出手段により検出された前記所定の撮影条件としての適正値を保持させるように制御する保持制御手段と、
前記シャッタボタンにより撮影が指示されたときに、前記保持制御手段により適正値が保持されている場合は、該保持されている適正値からなる撮影条件下で被写体の静止画を撮影し、該撮影された静止画データを記録する撮影記録制御手段と、
を備えたことを特徴とする。
【０００７】
また、例えば、請求項２に記載されているように、前記保持制御手段は、
前記撮影記録制御手段により被写体の静止画データが撮影記録された場合であっても、前記所定の撮影条件の適正値を保持させるように制御するようにしてもよい。
【０００８】
また、例えば、請求項３に記載されているように、前記所定の撮影条件は、少なくとも静止画撮影用の露出量であり、
前記検出手段は、
前記静止画撮影用の適正露出値を算出して、少なくとも絞り値、シャッタスピードを適正値として検出するようにしてもよい。
【０００９】
また、例えば、請求項４に記載されているように、前記所定の撮影条件は、少なくともホワイトバランスであり、
前記検出手段は、
少なくともホワイトバランス係数を適正値として検出するようにしてもよい。
【００１０】
また、例えば、請求項５に記載されているように、前記所定の撮影条件は、少なくともフォーカスレンズの焦点であり、
前記検出手段は、
少なくとも合焦レンズ位置を適正値として検出するようにしてもよい。
【００１１】
また、例えば、請求項６に記載されているように、前記保持制御手段は、
前記指示手段により前記所定の撮影条件の保持の解除が指示された場合は、前記所定の撮影条件の適正値の保持を解除させるように制御する手段を含むようにしてもよい。
【００１２】
また、例えば、請求項７に記載されているように、前記検出手段は、
前記指示手段により前記所定の撮影条件の保持が指示されるまで、又は、前記保持制御手段により適正値の保持が解除されてから前記指示手段により前記所定の撮影条件の保持が指示されるまで、前記所定の撮影条件としての適正値を周期的に検出していき、
前記保持制御手段は、
前記指示手段により前記所定の撮影条件の保持が指示された場合は、前記検出手段により直近に検出された前記所定の撮影条件としての適正値を保持させるように制御するようにしてもよい。
【００１３】
また、例えば、請求項８に記載されているように、前記撮影記録制御手段は、
前記指示手段により前記所定の撮影条件の保持が指示される前に、又は、前記保持制御手段により適正値の保持が解除されてから前記指示手段により前記所定の撮影条件の保持が指示される前に、前記シャッタボタンにより撮影が指示された場合は、前記検出手段により直近に検出された適正値からなる撮影条件下で被写体の静止画を撮影し、該撮影された静止画データを記録するようにしてもよい。
【００１４】
また、例えば、請求項９に記載されているように、前記検出手段は、
前記指示手段により前記所定の撮影条件の保持が指示されると、前記所定の撮影条件としての適正値を検出し、
前記保持制御手段は、
前記指示手段により前記所定の撮影条件の保持が指示された場合は、前記検出手段により検出された前記所定の撮影条件としての適正値を保持させるように制御するようにしてもよい。
【００１５】
また、例えば、請求項１０に記載されているように、前記検出手段は、
前記指示手段により前記所定の撮影条件の保持が指示される前に、又は、前記保持制御手段により適正値の保持が解除されてから前記指示手段により前記所定の撮影条件の保持が指示される前に、前記シャッタボタンにより撮影が指示された場合は、前記所定の撮影条件としての適正値を検出し、
前記撮影記録制御手段は、
前記検出手段により検出された適正値からなる撮影条件下で被写体の静止画を撮影し、該撮影された静止画データを記録するようにしてもよい。
【００１６】
また、例えば、請求項１１に記載されているように、前記指示手段は、
操作されたときに前記所定の撮影条件の保持を指示し、操作が開放されたときに、前記所定の撮影条件の保持の解除を指示するようにしてもよい。
【００１７】
また、例えば、請求項１２に記載されているように、前記指示手段は、
操作される毎に、前記所定の撮影条件の保持と、前記所定の撮影条件の保持の解除とを交互に指示するようにしてもよい。
【００１８】
上記目的達成のため、請求項１３記載の発明によるプログラムは、撮影を指示するシャッタボタンと、
前記シャッタボタンとは別個に設けられた、所定の撮影条件の保持及び解除を指示する指示手段と、
を備えた撮像装置を実行させるためのプログラムであって、
前記所定の撮影条件としての適正値を検出する検出処理と、
前記指示手段により前記所定の撮影条件の保持が指示された場合は、前記検出処理により検出された前記所定の撮影条件としての適正値を保持させるように制御する保持処理と、
前記シャッタボタンにより撮影が指示されたときに、前記保持処理により適正値が保持されている場合は、該保持されている適正値からなる撮影条件下で被写体の静止画を撮影し、該撮影された静止画データを記録する撮影処理と、
を含むことを特徴とする。
【発明の効果】
【００１９】
本発明によれば、シャッタボタンの半押し、全押しの微妙な操作の違いを使い分けることが難しいユーザ、例えば、お年寄りであっても、撮影条件をロックして容易に撮影することができる。
【発明を実施するための最良の形態】
【００２０】
以下、本実施の形態について、本発明の撮像装置をデジタルカメラに適用した一例として図面を参照して詳細に説明する。
[第１の実施の形態]
【００２１】
Ａ．デジタルカメラの構成
図１は、本発明の撮影装置を実現するデジタルカメラ１の概略的な外観図を示す図であり、特にデジタルカメラ１の正面を表している。
デジタルカメラ１の正面には、撮影レンズ２が備えられており、デジタルカメラ１の上面にはシャッタボタン２１と、シャッタボタン２１とは別個に設けられた撮影条件保持ボタン２２が設けられている。
図２は、本発明の動画処理装置を実現するデジタルカメラ１の電気的な概略構成を示すブロック図である。
デジタルカメラ１は、撮影レンズ２、レンズ駆動ブロック３、絞り４、ＣＣＤ５、ドライバ６、ＴＧ（timing generator）７、ユニット回路８、画像生成部９、ＣＰＵ１０、キー入力部１１、メモリ１２、ＤＲＡＭ１３、フラッシュメモリ１４、画像表示部１５、バス１６を備えている。
【００２２】
撮影レンズ２は、複数のレンズ群から構成されるフォーカスレンズ２ｂ、ズームレンズ２ａ等を含む。そして、撮影レンズ２にはレンズ駆動ブロック３が接続されている。レンズ駆動ブロック３は、フォーカスレンズ２ｂ、ズームレンズ２ａをそれぞれ光軸方向に沿って駆動させるフォーカスモータ、ズームモータと、ＣＰＵ１０から送られてくる制御信号にしたがって、フォーカスモータ、ズームモータを駆動させるフォーカスモータドライバ、ズームモータドライバから構成されている（図示略）。
【００２３】
絞り４は、図示しない駆動回路を含み、駆動回路はＣＰＵ１０から送られてくる制御信号にしたがって絞り４を動作させる。
絞りとは、撮影レンズ２から入ってくる光の量を制御する機構のことをいう。
【００２４】
ＣＣＤ５は、ドライバ６によって駆動され、一定周期毎に被写体像のＲＧＢ値の各色の光の強さを光電変換して撮像信号としてユニット回路８に出力する。このドライバ６、ユニット回路８の動作タイミングはＴＧ７を介してＣＰＵ１０により制御される。なお、ＣＣＤ５はベイヤー配列の色フィルターを有しており、電子シャッタとしての機能も有する。この電子シャッタのシャッタ速度は、ドライバ６、ＴＧ７を介してＣＰＵ１０によって制御される。
【００２５】
ユニット回路８には、ＴＧ７が接続されており、ＣＣＤ５から出力される撮像信号を相関二重サンプリングして保持するＣＤＳ（Correlated Double Sampling）回路、そのサンプリング後の撮像信号の自動利得調整を行なうＡＧＣ（Automatic Gain Control）回路、その自動利得調整後のアナログの撮像信号をデジタル信号に変換するＡ／Ｄ変換器から構成されており、ＣＣＤ５から出力された撮像信号はユニット回路８を経てデジタル信号として画像生成部９に送られる。
【００２６】
画像生成部９は、ユニット回路８から送られてきた画像データに対してγ補正処理、ＷＢ係数を算出するＷＢ計測処理及び該計測されたＷＢ係数に基づくホワイトバランス処理を行うとともに、輝度色差信号（ＹＵＶデータ）を生成し、該生成された輝度色差信号の画像データはＣＰＵ１０に送られる。つまり、画像生成部９は、ＣＣＤ５から出力された画像データに対して画像処理を施す。
【００２７】
ＣＰＵ１０は、静止画撮影処理、記録処理、画像生成部９から送られてきた画像データを記録する機能を有するとともに、デジタルカメラ１の各部を制御するワンチップマイコンである。
特に、ＣＰＵ１０は、ＡＥ（自動露出制御）処理、ＡＦ(オートフォーカス制御)処理、ＡＷＢ（オートホワイトバランス制御）処理、及びＡＥロック、ＡＦロック、ＡＷＢロックを行なう機能を有する。
【００２８】
キー入力部１１は、シャッタボタン２１、シャッタボタン２１とは別個に設けられた撮影条件保持ボタン２２、モードキー、セットキー、十字キー、ズームキー等の複数の操作キーを含み、ユーザのキー操作に応じた操作信号をＣＰＵ１０に出力する。
メモリ１２には、ＣＰＵ１０が各部を制御するのに必要な制御プログラム、及び必要なデータが記録されており、ＣＰＵ１０は、該プログラムに従い動作する。
【００２９】
ＤＲＡＭ１３は、ＣＣＤ５によって撮像された後、ＣＰＵ１０に送られてきた画像データを一時記憶するバッファメモリとして使用されるとともに、ＣＰＵ１０のワーキングメモリとして使用される。
フラッシュメモリ１４は、圧縮された画像データを保存する記録媒体である。
【００３０】
画像表示部１５は、カラーＬＣＤとその駆動回路を含み、撮影待機状態にあるときには、ＣＣＤ５によって撮像された被写体をスルー画像として表示し、動画撮影中のときもＣＣＤ５によって撮像された被写体の動画を表示させる。また、動画撮影中に静止画撮影処理が行なわれた場合は、動画とともに撮影された静止画を表示させる。
【００３１】
Ｂ．デジタルカメラ１の動作
実施の形態におけるデジタルカメラ１の動作を図３のフローチャートに従って説明する。
【００３２】
ユーザのモードキーの操作により静止画撮影モードに設定されると、ＣＰＵ１０は、所定のフレームレートでＣＣＤ５による撮像を開始し、ＣＣＤ５から順次出力され、画像生成部９により順次生成された輝度色差信号の画像データをバッファメモリ（ＤＲＡＭ１３）に記憶させていき、該記憶させた被写体の画像データを画像表示部１５に表示させるという、いわゆるスルー画像表示を開始させる（ステップＳ１）。
【００３３】
次いで、ＣＰＵ１０は、静止画用のＡＥ処理を開始する（ステップＳ２）。つまり、ＣＣＤ５から順次出力され、バッファメモリに順次記憶された画像データの輝度成分に基づいて静止画用の適正露出値を順次算出し、該算出した適正露出値に基づいて絞り値、シャッタスピード、及びユニット回路８のＡＧＣの増幅率の値を算出していく（適正露出値及びそれに基づく絞り値、シャッタスピード、増幅率を検出していく）。これにより、順次画像データが出力される度に、算出される絞り値、シャッタスピード、増幅率の値は変化していく。
【００３４】
次いで、ステップＳ３で、ＣＰＵ１０は、撮影条件を保持するか否かの判断を行う（ステップＳ３）。この判断は、撮影条件保持ボタン２２の押下に対応する操作信号がキー入力部１１から送られてきたか否かにより判断する。
ステップＳ３で、撮影条件を保持すると判断すると、ＣＰＵ１０は、静止画用のＡＥ処理を終了させるとともに撮影条件であるＡＥをロックする（ステップＳ４）。つまり、直前に算出した適性露出値（絞り値、シャッタスピード、増幅率）をロック（保持）する。
【００３５】
ＡＥロックを行なうと、ＣＰＵ１０は、シャッタボタン２１が押下されたか否かを判断する（ステップＳ５）。この判断は、シャッタボタン２１押下に対応する操作信号がキー入力部１１から送られてきたか否かにより判断する。
ステップＳ５で、シャッタボタン２１が押下されていないと判断すると、撮影条件保持を解除させるか否かの判断を行う（ステップＳ６）。この判断は、再び撮影条件保持ボタン２２の押下に対応する操作信号がキー入力部１１から送られてきた場合は撮影条件保持を解除させると判断する。つまり、撮影条件保持ボタン２２を押下する度に、撮影条件保持→撮影条件保持解除→撮影条件保持というように保持と解除が交互に切り替わることになる。
【００３６】
なお、撮影条件保持ボタン２２が押下されている間は、撮影条件を保持すると判断し、撮影条件保持ボタン２２の押下が解除されると、撮影条件の保持を解除すると判断するようにしてもよい。つまり、撮影条件保持ボタン２２の押下に対応する操作信号がキー入力部１１から送られてきている間は撮影条件を保持と判断し、撮影条件保持ボタン２２の押下に対応する操作信号が送られてこなくなった場合は、撮影条件保持が解除されたと判断する。
【００３７】
ステップＳ６で、撮影条件保持解除でないと判断するとステップＳ５に戻り、撮影条件保持解除であると判断すると、ＡＥ処理を再開すべくステップＳ２に戻り上記した動作を繰り返す。
一方、ステップＳ５で、シャッタボタン２１が押下されたと判断すると、ステップＳ４でロックされた値の撮影条件下で、静止画撮影処理を行う（ステップＳ７）。つまり、ロックされた絞り値、シャッタスピードで、ＣＣＤ５に被写体からの光を露光させるとともに、該露光によってＣＣＤ５から得られた画像データ（静止画データ）をロックされた増幅率でユニット回路８のＡＧＣ回路で自動利得させる。
【００３８】
次いで、ＣＰＵ１０は、該撮影処理により得られた静止画データをフラッシュメモリ１４に記録させるとともに（ステップＳ８）、被写体のスルー画像表示を再び開始させて（ステップＳ９）、ステップＳ５に戻る。つまり、撮影条件を保持している状態で静止画撮影を行なっても撮影条件はリセットされず、ロックしてある撮影条件で何度でも静止画撮影を行なうことができる。
また、ステップＳ３で、撮影条件を保持しないと判断すると、ＣＰＵ１０は、シャッタボタン２１が押下された否かを判断する（ステップＳ１０）。
【００３９】
ステップＳ１０で、シャッタボタン２１が押下されていないと判断するとステップＳ３に戻る。これにより、刻々と算出される適正露出値（（絞り値、シャッタスピード、増幅率）は変化していく。
一方、ステップＳ１０で、シャッタボタン２１が押下されたと判断すると、直近に算出された値の撮影条件下で静止画撮影処理を行う（ステップＳ１１）。つまり、直近に算出された適正露出値（絞り値、シャッタスピード、増幅率）に基づいて静止画撮影処理を行う。これにより、特別な操作を行うことなく、直近に算出された適正露出値に基づいて静止画撮影処理を行うことができる。
次いで、該撮影処理により得られた静止画データをフラッシュメモリ１４に記録して（ステップＳ１２）、ステップＳ１に戻る。
尚、ステップＳ１１では、予め設定されている基準露出値（絞り値、シャッタスピード、増幅率）に基づいて静止画撮影処理を行う構成としてもよく、この場合には、特別な操作を行うことなく、予め設定されている基準露出値に基づいて静止画撮影処理を行うことができる。
【００４０】
Ｃ．以上のように第１の実施の形態においては、撮影条件の保持及び解除を指示させるためのボタンをシャッタボタン２２とは別個のボタンにしたことにより、シャッタボタンの半押し、全押しの微妙な操作の違いを使い分けることが難しいユーザ、例えば、お年寄りであっても、撮影条件をロックして容易に撮影することができる。
また、撮影条件の保持及び解除を指示させるためのボタンをシャッタボタン２２とは別個のボタンにしたことにより、シャッタボタンを全押しして撮影を行なわれても、それによって撮影条件のロックは解除されず、撮影条件保持ボタン２２によりロックが解除されない限り同じ撮影条件で何枚も被写体を撮影することができる。
更には、特別な操作を行うことなく、直近に算出された適正露出値に基づいて、または、予め設定されている基準露出値に基づいて、静止画撮影処理を行うことができる。
【００４１】
［第２の実施の形態］
次に、第２の実施の形態について説明する。
第１の実施の形態においては、撮影条件保持ボタン２２が押下されるまで、コンティニュアス的にＡＥ処理を行い、撮影条件保持ボタン２２が押下されるとＡＥロックを行なうというものであったが、第２の実施の形態においては、撮影条件保持ボタン２２が押下されると初めてＡＥ処理を行うことともにＡＥロックを行なうというものである。
【００４２】
Ｄ.デジタルカメラ１の動作
第２の実施の形態も、図２に示したものと同様の構成を有するデジタルカメラ１を用いることにより本発明の撮像装置を実現する。
以下、第２の実施の形態のデジタルカメラ１の動作を図４のフローチャートにしたがって説明する。
【００４３】
ユーザのモードキーの操作により静止画撮影モードに設定されると、ＣＰＵ１０は、ＣＣＤ５による撮像を開始し、該撮像された被写体のスルー画像を表示させる処理を開始する（ステップＳ５１）。
次いで、ＣＰＵ１０は、撮影条件を保持するか否かの判断を行う（ステップＳ５２）。
【００４４】
ステップＳ５２で、撮影条件を保持すると判断すると、ＣＰＵ１０は、静止画用のＡＥ処理を行うとともに、ＡＥロックを行う（ステップＳ５３）。つまり、直近にＣＣＤ５から出力され、バッファメモリに記憶された画像データの輝度成分に基づいて適正露出値を算出し、該算出した適正露出値に基づいて絞り値、シャッタスピード、及びユニット回路８のＡＧＣの増幅率を算出し、該算出した値をロックする。
次いで、ＣＰＵ１０は、シャッタボタン２１が押下されたか否かの判断を行う（ステップＳ５４）。
【００４５】
ステップＳ５４で、シャッタボタンが押下されていないと判断すると、ＣＰＵ１０は、撮影条件の保持の解除を行なうか否かの判断を行う（ステップＳ５５）。
ステップＳ５５で、撮影条件の保持の解除を行なわないと判断するとステップＳ５４に戻り、撮影条件の保持の解除を行なうと判断するとステップＳ５２に戻る。
【００４６】
一方、ステップＳ５４で、シャッタボタンが押下されたと判断すると、ステップＳ５３でロックされた値の撮影条件下で、静止画撮影処理を行う（ステップＳ５６）。つまり、ロックされた絞り値、シャッタスピードで、ＣＣＤ５に被写体からの光を露光させるとともに、該露光によってＣＣＤ５から得られた画像データ（静止画データ）をロックされた増幅率でユニット回路８のＡＧＣ回路で自動利得させる。
【００４７】
次いで、ＣＰＵ１０は、該撮影処理により得られた静止画データをフラッシュメモリ１４に記録させるとともに（ステップＳ５７）、被写体のスルー画像表示を再び開始させて（ステップＳ５８）、ステップＳ５４に戻る。つまり、撮影条件を保持している状態で静止画撮影を行なっても撮影条件はリセットされず、ロックしてある撮影条件で何度でも静止画撮影を行なうことができる。
【００４８】
一方、ステップＳ５２で、撮影条件を保持しないと判断すると、ＣＰＵ１０は、シャッタボタン２１が押下された否かを判断する（ステップＳ５９）。
ステップＳ５９で、シャッタボタン２１が押下されていないと判断するとステップＳ５２に戻る。
【００４９】
一方、ステップＳ５９で、シャッタボタン２１が押下されたと判断すると、ＣＰＵ１０は、静止画用のＡＥ処理を行う（ステップＳ６０）。つまり、直近にＣＣＤ５から出力され、バッファメモリに記憶された画像データの輝度成分に基づいて適正露出値を算出し、該算出した適正露出値に基づいて絞り値、シャッタスピード、及びユニット回路８のＡＧＣの増幅率の値を算出する。
【００５０】
次いで、ＣＰＵは、該算出された値の撮影条件下で静止画撮影を行なう（ステップＳ６１）。つまり、直近に算出された適正露出値（絞り値、シャッタスピード、増幅率）に基づいて静止画撮影を行なう。これにより、特別な操作を行うことなく、直近に算出された適正露出値に基づいて静止画撮影処理を行うことができる。
次いで、ＣＰＵ１０は、該撮影処理により得られた静止画データをフラッシュメモリ１４に記録して（ステップＳ６２）、ステップＳ５１に戻る。
尚、ステップＳ６１では、予め設定されている基準露出値（絞り値、シャッタスピード、増幅率）に基づいて静止画撮影処理を行う構成としてもよく、この場合には、特別な操作を行うことなく、予め設定されている基準露出値に基づいて静止画撮影処理を行うことができる。
【００５１】
Ｅ．以上のように第２の実施の形態においては、撮影条件の保持及び解除を指示させるためのボタンをシャッタボタン２２とは別個のボタンにしたことにより、シャッタボタンの半押し、全押しの微妙な操作の違いを使い分けることが難しいユーザ、例えば、お年寄りであっても、撮影条件をロックして容易に撮影することができる。
また、撮影条件の保持及び解除を指示させるためのボタンをシャッタボタン２２とは別個のボタンにしたことにより、シャッタボタンを全押しして撮影を行なわれても、それによって撮影条件のロックは解除されず、撮影条件保持ボタン２２によりロックが解除されない限り同じ撮影条件で何枚も被写体を撮影することができる。
更には、特別な操作を行うことなく、直近に算出された適正露出値に基づいて、または、予め設定されている基準露出値に基づいて、静止画撮影処理を行うことができる。
【００５２】
［変形例］
Ｆ．なお、上記各実施の形態は、以下のような変形例も可能である。
【００５３】
（１）上記第１の実施の形態においては、撮影条件保持ボタン２２が押下されると、ＡＥをロックする（ＡＥ処理に基づいて得られた露出の適正値を保持する）ようにしたが、他の撮影条件をロックする（他の処理に基づいて得られたその適正値を保持する）ようにしてもよい。
例えば、他の撮影条件としてＡＷＢ処理に基づいて得られたＷＢ係数の場合について説明する。
撮影条件保持ボタン２２の押下に基づいてＡＷＢをロックする（ＡＷＢ処理に基づいて得られたＷＢ係数の適正値を保持する）場合においては、図３のステップＳ２では、ＣＰＵ１０は、画像生成部９にＡＷＢ処理を開始させる。つまり、ＣＣＤ５から順次出力された画像データであるベイヤーデータの色（Ｒ、Ｇ、Ｂ）毎に、その画素値を積分してＷＢ係数を順次算出していく（ＷＢ係数を適正値として検出していく）。つまり、順次画像データが出力される度に、算出されるＷＢ係数の値は変化していくことになる。そして、この順次算出されたＷＢ係数の値に基づいてホワイトバランスの調整が行われることになる。
【００５４】
そして、ステップＳ３で撮影条件保持が指示されたと判断すると、ステップＳ４で、直近に算出したＷＢ係数の値をロックし、ステップＳ５でシャッタボタン２１が押下されると、ステップＳ７で該ロックされた値の撮影条件下で静止画撮影処理を行なって、つまり、画像生成部９にロックされているＷＢ係数の値に基づいて該撮影処理により得られた静止画データに対してホワイトバランスの調整を行なって、ステップＳ８でこれを記録する。また、ステップＳ１０で、シャッタボタン２１が押下された場合は、ステップＳ１１で直近に算出された値の撮影条件下で静止画撮影処理を行ない、つまり、画像生成部９に直近に算出されたＷＢ係数の値に基づいて該撮影処理により得られた静止画データに対してホワイトバランスの調整を行なって、ステップＳ１２で記録する。
【００５５】
また、他の撮影条件としてＡＦ処理に基づいて得られた合焦レンズ位置(フォーカスレンズ位置)の場合について説明する。
撮影条件保持ボタン２２の押下に基づいてＡＦをロックする（ＡＦ処理に基づいて得られた合焦レンズ位置の適正値を保持する）場合においては、図３のステップＳ２では、ＣＰＵ１０は、コンティニュアスＡＦ処理を開始させる。このＡＦ処理の方式としてはコントラスト検出方式を採用するので、断続的、連続的にコントラスト検出方式によるＡＦ処理を行うことになる。つまり、適正値として合焦レンズ位置を検出していく。
そして、ステップＳ３で撮影条件保持が指示されたと判断すると、ステップＳ４で、ＡＦロックし、つまり、直近に検出されたＡＦ評価値のピーク値位置（合焦レンズ位置）にフォーカスレンズ２ｂを移動して固定させ（ロックさせ）、ステップＳ５でシャッタボタン２１が押下されると、ステップＳ７で該ロックされた値の撮影条件下で静止画撮影処理を行なって、つまり、ロックされた合焦レンズ位置にあるフォーカスレンズ２ｂを介してＣＣＤ５に被写体を撮像させ、該撮像され画像生成部９により生成された画像データをバッファメモリに記憶させて、ステップＳ８でこれを記録する。また、ステップＳ１０で、シャッタボタン２１が押下された場合は、ステップＳ１１で、直近に検出されたＡＦ評価値のピーク値位置（合焦レンズ位置）にフォーカスレンズ２ｂを移動して固定させて静止画撮影処理を行い、ステップＳ１２で該静止画撮影処理により得られた画像データを記録させる。
【００５６】
（２）上記第２の実施の形態においては、撮影条件保持ボタン２２が押下されると、ＡＥをロックする（ＡＥ処理に基づいて得られた露出の適正値を保持する）ようにしたが、他の撮影条件をロックする（他の処理に基づいて得られたその適正値を保持する）ようにしてもよい。
例えば、他の撮影条件としてＡＷＢ処理に基づいて得られたＷＢ係数の場合について説明する。
撮影条件保持ボタン２２の押下に基づいてＡＷＢをロック（ＡＷＢ処理に基づいて得られたＷＢ係数の適正値を保持する）する場合においては、図４のステップＳ５２で、撮影条件を保持すると判断すると、ステップＳ５３で、ＣＰＵ１０は、画像生成部９にＡＷＢ処理、ＡＥＢロックを行なわせる。つまり、ＣＣＤ５から直近に出力された画像データであるベイヤーデータの色（Ｒ、Ｇ、Ｂ）毎に、その画素値を積分してＷＢ係数の値を算出し（適正値としてＷＢ係数を検出し）、該算出したＷＢ係数の値をロックする。そして、このロックされたＷＢ係数の値に基づいてオートホワイトバランスが行なわれることになる。
そして、ステップＳ５４でシャッタボタン２１が押下されると、ステップＳ５６で、該ロックした値の撮影条件下で静止画撮影処理を行って、つまり、画像生成部９にロックされているＷＢ係数の値に基づいて該撮影処理により得られた静止画データに対してホワイトバランスの調整を行なって、ステップＳ５７でこれを記録させる。また、ステップＳ５９でシャッタボタン２１が押下された場合は、ステップＳ６０でＣＰＵ１０はＡＷＢ処理を行う。つまり、ＣＣＤ５から直近に出力された画像データであるベイヤーデータの色毎に画素値を積分してＷＢ係数を算出する。
そして、ステップＳ６１で、該算出した値の撮影条件下で静止画撮影を行ない、つまり、画像生成部により該算出されたＷＢ係数の値に基づいて該撮影処理により得られた静止画データに対してホワイトバランスの調整を行なって、ステップＳ１２で記録する。
【００５７】
また、他の撮影条件としてＡＦ処理に基づいて得られた合焦レンズ位置(フォーカスレンズ位置)の場合について説明する。
撮影条件保持ボタン２２の押下に基づいてＡＦをロックする（ＡＦ処理に基づいて得られた合焦レンズ位置の適正値を保持する）場合においては、図４のステップＳ５２で、撮影条件を保持すると判断すると、ステップＳ５３で、ＣＰＵ１０は、画像生成部９にＡＦ処理、ＡＦロックを行なわせる。つまり、コントラスト検出方式によるＡＦ処理を行い、該ＡＦ処理により検出されたＡＦ評価値のピーク値位置（合焦レンズ位置）にフォーカスレンズ２ｂを移動して固定させる（ロックさせる）。つまり、適正値として合焦レンズ位置を検出して、ロックさせる。
そして、ステップＳ５４でシャッタボタン２１が押下されると、ステップＳ５６で、該ロックした値の撮影条件下で静止画撮影処理を行って、つまり、ロックされた合焦レンズ位置にあるフォーカスレンズ２ｂを介してＣＣＤ５に被写体を撮像させ、該撮像され画像生成部９により生成された画像データをバッファメモリに記憶させて、ステップＳ５７でこれを記録させる。また、ステップＳ５９でシャッタボタン２１が押下された場合は、ステップＳ６０でＣＰＵ１０はＡＦ処理を行う。つまり、検出したＡＦ評価値のピーク値位置にフォーカスレンズ２ｂを移動させる。そして、ステップＳ６１で、該算出した値の撮影条件下で静止画撮影を行なって、ステップＳ６２で記録させる。
【００５８】
（３）また、上記第１の実施の形態及び上記変形例（１）、又は、上記第２の実施の形態及び上記変形例（２）を任意に組み合わせた態様であってもよい。
この場合は、撮影条件保持ボタン２２が押下されたと判断すると、ＡＥ処理、ＡＷＢ処理、ＡＦ処理等の複数の処理を同時にロックさせることで、それぞれの処理に基づいて得られる各適正値を撮影条件として保持するようにしてもよいし、ＡＥロック用の撮影条件保持ボタン、ＡＷＢロック用の撮影条件保持ボタン、ＡＦロック用の撮影条件保持ボタン等の個々の処理（撮影条件）毎に撮影条件保持ボタンを備えるようにしてもよい。
【００５９】
（４）また、上記各実施の形態においては、撮影条件の適正値を自動的に導出して更新する処理として、ＡＥ処理、ＡＷＢ処理、ＡＦ処理等の処理について、また、これらの処理を一時停止するロックとして、ＡＥロック、ＡＷＢロック、ＡＦロック等について説明したが他の処理（撮影条件）やロック（例えば、色強調、シャープネス、彩度等）に置き換えてもよい。
【００６０】
（５）また、上記各実施の形態においては、撮影条件保持ボタン２２で、撮影条件の保持と解除を操作、指示させるようにしたが、撮影条件を保持するためのボタンと、解除するためのボタンとの両方の操作キーを設けるようにしてもよい。
【００６１】
（６）また、上記変形例（１）及び（２）においては、ＡＦ方式としてコントラスト検出方式を採用したが、位相差方式や赤外線方式などの他の方式によってＡＦ処理を行うようにしてもよい。
【００６２】
（７）また、上記実施の形態におけるデジタルカメラ１は、上記の実施の形態に限定されるものではなく、カメラ付き携帯電話、カメラ付きＰＤＡ、カメラ付きパソコン、デジタルビデオカメラ等でもよく、被写体を撮像する機能を備えた機器であればよい。
【図面の簡単な説明】
【００６３】
【図１】本発明の実施の形態のデジタルカメラの外観を示す図である。
【図２】本発明の実施の形態のデジタルカメラのブロック図である。
【図３】第１の実施の形態のデジタルカメラ１の動作を示すフローチャートである。
【図４】第２の実施の形態のデジタルカメラ１の動作を示すフローチャートである。
【符号の説明】
【００６４】
１      デジタルカメラ
２      撮影レンズ
３      レンズ駆動ブロック
４      絞り
５      ＣＣＤ
６      ドライバ
７      ＴＧ
８      ユニット回路
９      画像生成部
１０    ＣＰＵ
１１    キー入力部
１２    メモリ
１３    ＤＲＡＭ
１４    フラッシュメモリ
１５    画像表示部
１６    バス
【図１】
2008054130.tif 000003
【図２】
2008054130.tif 000004
【図３】
2008054130.tif 000005
【図４】
2008054130.tif 000006